(57)【要約】  本発明は、眼内の嚢切開固定のためのスイベルハプティックを有する後方房眼内レンズに関する。後方房眼内レンズは、円形光学および少なくとも１つのスイベルハプティックの対を含む。円形光学は、眼の嚢袋内に位置決めされるように構成される。円形光学は、周囲上の複数の位置決め穴を含む。少なくとも１つのスイベルハプティックの対は、円形光学上に位置決めされる。少なくとも１つのスイベルハプティックの対は、円形光学から離れて回転され、眼の前方嚢上方に固定されるように構成される。
2019510616.tif 000002
【特許請求の範囲】
【請求項１】
眼内の嚢切開固定のための後方房眼内レンズであって、前記後方房眼内レンズは、
前記眼の嚢袋内に位置決めされるように構成された円形光学を備え、前記円形光学は、前記円形光学の周囲上の複数の位置決め穴を備え、前記後方房眼内レンズは、さらに、
前記円形光学上に位置決めされる少なくとも１つのスイベルハプティックの対を備え、前記少なくとも１つのスイベルハプティックの対は、前記円形光学から離れて回転され、前記眼の前方嚢の上方に固定されるように構成される、後方房眼内レンズ。
【請求項２】
前記後方房眼内レンズは、開ループ眼内レンズ、閉ループ眼内レンズ、およびプレート眼内レンズのうちの１つを備える、請求項１に記載の後方房眼内レンズ。
【請求項３】
ピボットの対をさらに備え、前記ピボットの対は、第１のピボットおよび第２のピボットを備える、請求項２に記載の後方房眼内レンズ。
【請求項４】
前記円形光学の前記周囲上の前記複数の位置決め穴は、
前記円形光学の右端において第１の位置決め穴を備え、前記第１の位置決め穴は、前記第１のピボットを受けるように構成され、前記円形光学の前記周囲上の前記複数の位置決め穴は、さらに、
前記円形光学の左端において第２の位置決め穴を備え、前記第２の位置決め穴は、前記第２のピボットを受けるように構成される、請求項３に記載の後方房眼内レンズ。
【請求項５】
前記少なくとも１つのスイベルハプティックの対は、
前記第１のピボット上で旋回するように構成された第１のスイベルハプティックと、
前記第２のピボット上で旋回するように構成された第２のスイベルハプティックとを備える、請求項４に記載の後方房眼内レンズ。
【請求項６】
前記スイベルハプティックの対は、前記嚢袋内への注入前に前記円形光学上に折られる、請求項５に記載の後方房眼内レンズ。
【請求項７】
前記後方房眼内レンズは、前記少なくとも１つのスイベルハプティックの対を使用して前記嚢袋の前記前方嚢および後方嚢のうちの１つの中に固定される、請求項１に記載の後方房眼内レンズ。
【請求項８】
前記後方房眼内レンズは、親水性アクリル眼内レンズを備える、請求項１に記載の後方房眼内レンズ。
【請求項９】
前記少なくとも１つのスイベルハプティックの対は、ポリメチルメタクリレート（ＰＭＭＡ）スイベルハプティックを備える、請求項１に記載の後方房眼内レンズ。
【請求項１０】
眼内の嚢切開固定のための後方房眼内レンズであって、前記後方房眼内レンズは、
前記眼の嚢袋内に位置決めされるように構成された円形光学を備え、前記円形光学は、前記円形光学の周囲上の複数の位置決め穴と、前記円形光学の右端において、前記複数の位置決め穴の第１の位置決め穴と、前記円形光学の左端において、前記複数の位置決め穴の第２の位置決め穴とを備え、前記後方房眼内レンズは、さらに、
互いに斜めに反対の方向において、前記円形光学から延在する湾曲されたハプティックの対を備え、前記湾曲されたハプティックの対の第１の湾曲したハプティックは、前記嚢袋の上内周に当接するように前記円形光学の上端から延在し、前記湾曲されたハプティックの対の第２の湾曲したハプティックは、前記嚢袋の底内周に当接するように前記円形光学の底端から延在し、前記後方房眼内レンズは、さらに、
ピボットの対を備え、前記ピボットの対の第１のピボットは、前記第１の位置決め穴内に位置決めされ、前記ピボットの対の第２のピボットは、前記第２の位置決め穴内に位置決めされ、前記後方房眼内レンズは、さらに、
前記円形光学上の前記湾曲されたハプティックの対に対して、垂直に位置決めされるスイベルハプティックの対を備え、前記スイベルハプティックの対の第１のスイベルハプティックは、前記第１のピボット上で旋回するように構成され、前記スイベルハプティックの対の第２のスイベルハプティックは、前記第２のピボット上で旋回するように構成され、前記第１のスイベルハプティックおよび前記第２のスイベルハプティックは、前記円形光学から離れて回転し、前記眼の前方嚢上方の角度位置に固定されるように構成される、後方房眼内レンズ。
【請求項１１】
スイベルハプティックの前記対は、前記嚢袋への注入前に前記円形光学上に折られる、請求項１０に記載の後方房眼内レンズ。
【請求項１２】
前記後方房眼内レンズは、前記スイベルハプティックの対を使用して、前記嚢袋の前記前方嚢および後方嚢のうちの１つの中に固定される、請求項１０に記載の後方房眼内レンズ。
【請求項１３】
前記後方房眼内レンズは、親水性アクリル眼内レンズを備える、請求項１０に記載の後方房眼内レンズ。
【請求項１４】
前記スイベルハプティックの対は、ポリメチルメタクリレート（ＰＭＭＡ）スイベルハプティックを備える、請求項１０に記載の後方房眼内レンズ。
【発明の詳細な説明】
【技術分野】
【０００１】
発明の技術分野
本発明は、一般に眼内レンズに関し、より具体的には、眼内の嚢切開固定のためのスイベルハプティックを使用する後方房眼内レンズに関する。
【背景技術】
【０００２】
発明の背景
近年の白内障手術は、典型的に、眼鏡なしの視力手術を可能にするために、眼内の眼内レンズ（ＩＯＬ）の埋め込みへと続く。ＩＯＬは、前方眼房または後方眼房に埋め込まれることができる。眼科医が容易にＩＯＬを小さな切開を通して眼の嚢袋内に注入し、さらに正しくＩＯＬを位置決めできるように、ＩＯＬは、可撓性で折り曲げ可能な材料であることを要する。ＩＯＬは、典型的に、１つまたは複数のハプティックを有する光学系または光学系を支持する要素を含む。
【０００３】
ＩＯＬの位置は、しかし、術前に正確に決定されることができない。したがって、ＩＯＬの有効レンズ位置は、達成されず、およそ０．７５ジオプトリ（Ｄ）誤差に相当する。さらに、ＩＯＬは、位置から外れて移動され得（また偏位とも称される）、これによって有効な視力における損失およびユーザ不満を生む。上述の問題を克服するために設計されたＩＯＬのいくつかの例は、詳細に以下に議論される。
【０００４】
１つの例では、ＩＯＬ、親水性アクリルＩＯＬは、楕円形のハプティックによって規定される周辺の溝によって囲まれる５ミリメータ（ｍｍ）光学系を含む。楕円形のハプティックは、互いに垂直に配向され、前方および後方裂嚢（前方嚢および後方嚢のそれぞれにおける連続的な円状の裂け目）の両方の収容を可能とする。しかし、この例では、眼科医は、（わずかに５ｍｍ光学系より少ない）完全な大きさの前方裂嚢および後方裂嚢を作成するべきであり、これは、挑戦的なプロセスである。さらに、ＩＯＬの位置決め中に嚢袋を引き伸ばす可能性があり、これは、嚢袋の引き裂きにつながる。そのような場合には、ＩＯＬは、外植されなければならず、埋め込まれてはならない。
【０００５】
親水性アクリルＩＯＬの術後フォローアップは、後方嚢不透明化（ＰＣＯ）および視軸再増殖（ＶＡＲ）の非発生を決定した。親水性アクリルＩＯＬの中心安定性も経時的に安定であると決定される。したがって、円環ＩＯＬおよび多集束ＩＯＬなどの複雑なＩＯＬの収容を可能にする中心安定性およびＰＣＯの非発生にもかかわらず、親水性アクリルＩＯＬの整列は、依然として不正確である。
【０００６】
別の例では、ＩＯＬ、身体違和感の少ない（ａｎｔｉ−ｄｙｓｐｈｏｔｏｐｉｃ）ＩＯＬは、光学系の周囲の周辺の前縁に溝を含む。嚢切開は、溝に捕捉され、ＩＯＬの大部分は、嚢内に配置される。しかし、嚢切開は、捕捉されない可能性がある。ＩＯＬはまた、よりサイズが大きく、埋め込みのためのより広い切開が必要である。さらに、ＩＯＬ内のハプティックは、厚く、眼の虹彩の裏側と接触し、これにより虹彩擦過（ｉｒｉｓ  ｃｈａｆｅ）および経時的な色素拡散（ｐｉｇｍｅｎｔ  ｄｉｓｐｅｒｓｉｏｎ）を引き起こす。
【０００７】
身体違和感の少ないＩＯＬは、白内障手術後の副作用を防ぐために使用される。身体違和感の少ないＩＯＬは、前方嚢切開を乗り越える前縁のフランジの使用に起因して、さらに中心安定性を提供する。しかし、身体違和感の少ないＩＯＬは、長期間の使用に成功していない。
【０００８】
このため、現在使用されるＩＯＬは、典型的に、眼の後ろからの眼科用粘膜外科器具（ＯＶＤ）の除去における困難性、複雑な設計および技術的困難性、特別な機器とインジェクターの必要性、嚢切開の裂け目、莢膜ブロック、虹彩擦過、および色素拡散といった問題に直面する。
【発明の概要】
【課題を解決するための手段】
【０００９】
発明の概要
この概要は、本発明の詳細な説明においてさらに説明される、簡略化された形式の概念の選択を導入するために提供される。この概要は、本主題の重要なまたは本質的な発明概念を特定することを意図するものでもなく、本発明の範囲を決定することも意図しない。
【００１０】
眼内の嚢切開固定のための後方房眼内レンズの例は、円形光学および少なくとも１つのスイベルハプティックの対を含む。円形光学は、眼の嚢袋内で位置決めされるように構成される。円形光学は、周囲上の複数の位置決め穴を含む。少なくとも１つのスイベルハプティックの対は、円形光学上に位置決めされる。少なくとも１つのスイベルハプティックの対は、円形光学から離れて回転され、眼の前方嚢上方に固定されるように構成される。
【００１１】
眼内の嚢切開固定のための後方房眼内レンズの例は、円形光学、湾曲されたハプティックの対、ピボットの対、およびスイベルハプティックの対を含む。円形光学は、眼の嚢袋内に位置決めされるように構成され、周囲上の複数の位置決め穴を含む。複数の位置決め穴の第１の位置決め穴は、円形光学の右端にある。複数の位置決め穴の第２の位置決め穴は、円形光学の左端にある。湾曲されたハプティックの対は、互いに斜めに反対の方向において、円形光学から延在する。湾曲されたハプティックの対の第１の湾曲したハプティックは、嚢袋の上内周に当接するように円形光学の上端から延在する。湾曲されたハプティックの対の第２の湾曲したハプティックは、嚢袋の底内周に当接するように円形光学の底端から延在する。ピボットの対の第１のピボットは、第１の位置決め穴内に位置決めされ、ピボットの対の第２のピボットは、第２の位置決め穴内に位置決めされる。スイベルハプティックの対は、湾曲されたハプティックの対に対して垂直に位置決めされる。スイベルハプティックの対の第１のスイベルハプティックは、第１のピボット上で旋回するように構成され、スイベルハプティックの対の第２のスイベルハプティックは、第２のピボット上で旋回するように構成される。第１のスイベルハプティックおよび第２のスイベルハプティックは、円形光学から離れて回転され、眼の前方嚢の上方の角度位置に固定されるように構成される。
【００１２】
本発明の利点および特徴をさらに明確にするために、本発明のより具体的な説明が、添付の図面に示されている特定の実施形態を参照して行われる。これらの図は、本発明の典型的な実施形態のみを示しているので、その範囲を限定するものではないと考えられる。本発明は、付加的な特徴および詳細を伴う添付の図面を用いて説明および説明される。
【００１３】
図面の簡単な説明
本発明は、付加的な特徴および詳細を伴って、添付図面と共に記載され、説明される。
【図面の簡単な説明】
【００１４】
【図１】実施形態にしたがう、後方房眼内レンズの正面図を図示する。
【図２】別の実施形態にしたがう、後方房眼内レンズの正面図を図示する。
【図３】実施形態にしたがう、眼の嚢袋内に埋め込まれた後方房眼内レンズの正面図を図示する。
【図４】別の実施形態にしたがう、眼の嚢袋内に埋め込まれた後方房眼内レンズの正面図を図示する。
【発明を実施するための形態】
【００１５】
さらに、図面の要素は、簡単のために図示されており、必ずしも一定の縮尺で描かれていないことを当業者は理解するであろう。さらに、装置の構成に関して、装置の１つまたは複数の構成要素は、図中において決まった記号によって示されている場合があり、図は、詳細を図面を不明瞭にしないために、本発明の実施形態を理解することに関連する特定の詳細のみを示す場合があるが、このことは、本明細書の説明の恩恵を受ける当業者には、容易に明らかであろう。
【００１６】
発明の説明
本発明の原理の理解を促進する目的で、図に示された実施形態を参照し、特定の言語を用いて、これを説明する。しかし、このため本発明の範囲の限定は、意図されるものではなく、図示されたシステムにおける変更およびさらなる改変、ならびにそこに例示される本発明の原理のさらなる応用は、本発明が関連する分野における当業者にとって、通常行われるものと考えられるものであることが理解される。
【００１７】
前述の一般的な説明および以下の詳細な説明は、本発明の例示的かつ説明的なものであり、本発明を限定するものではないことは、当業者に理解されるであろう。
【００１８】
「備える」、「備えている」という用語、またはその任意の他の変形は、ステップの一覧を備えるプロセスまたは方法が、これらのステップのみを含まず、明記されていないかそのようなプロセスまたは方法に固有の他のステップをまた含むように、非排他的な包含に及ぶことを意図する。同様に、「備える」という用語によって始められた１つまたは複数のデバイスまたはサブシステムまたは要素または構造または構成要素は、他のデバイスまたは他のサブシステムまたは他の要素または他の構造または他の構成要素または追加のデバイスまたは追加のサブシステムまたは追加の要素または追加の構造または追加の構成要素の存在を排除しない。「１つの実施形態では」、「別の実施形態では」という表現、および同様の言語の表現は、必須ではないが、全て、同じ実施形態を参照してもよい。
【００１９】
他に定義されない限り、ここで使用される全ての技術用語および科学用語は、本発明が属する技術分野の当業者によって、一般的に理解されるものと同じ意味を有する。本明細書で提供されるシステム、方法、および実施例は、例示的なものに過ぎず、限定を意図するものではない。
【００２０】
以下において、添付図面を参照して、本発明の実施形態を詳細に説明する。
図１は、実施形態にしたがう、後方房眼内レンズ１００の正面図を図示する。ここで、「後方房眼内レンズ（ＩＯＬ）」１００は、手術で、典型的に白内障手術中に除去された自然のレンズの集束力を置き換えるために、眼の後方房内に埋め込まれる合成人工レンズを指す。以降では、後方房ＩＯＬ１００は、ＩＯＬ１００とも称される。１つの例では、ＩＯＬ１００は、眼の自然のレンズを完全に置き換える擬似的なＩＯＬである。１つの例では、ＩＯＬ１００は、嚢袋の前方嚢内に固定される。別の例では、ＩＯＬ１００は、嚢袋の後方嚢内に固定される。ＩＯＬ１００は、たとえば、嚢袋内の２．８ミリメータ（ｍｍ）切開内に標準的インジェクターを使用して、埋め込まれることができる。
【００２１】
ＩＯＬ１００は、角膜および瞳孔を通して、眼に入る光を眼の網膜上に集束させるように構成される。ＩＯＬ１００は、親水性アクリルＩＯＬであることができる。ここで、「親水性アクリルＩＯＬ」とは、親水性アクリルとも称される可撓性で折り曲げ可能な材料から作られるＩＯＬを指す。いくつかの実施形態では、ＩＯＬ１００は、疎水性アクリルＩＯＬまたは疎水性シリコンＩＯＬであることができる。ＩＯＬ１００は、適切な処方にしたがって眼に対して構成され、ユーザに有効な視覚を提供する。
【００２２】
ＩＯＬ１００は、開ループ眼内レンズ、閉ループ眼内レンズ、およびプレート眼内レンズのうちの１つを含んでもよい。本開示は、湾曲されたハプティックの対を含む開ループ眼内レンズを使用して説明される。しかし、ＩＯＬ１００は、閉ループ眼内レンズ、プレート眼内レンズ等を含んでもよく、開ループ眼内レンズに限定されないということが留意されるべきである。
【００２３】
ＩＯＬ１００は、円形光学１０５、湾曲されたハプティックの対、ピボットの対、およびスイベルハプティックの対を含む。１つの例では、ＩＯＬ１００は、６ミリメートル（ｍｍ）の直径、３６０度方形縁、および１３ｍｍの全体の直径を有する円形光学１０５（非球面光学系）を含む。湾曲されたハプティックの対は、第１の湾曲したハプティック１１０および第２の湾曲したハプティック１１５を含む。ピボットの対は、第１のピボット１２０および第２のピボット１２５を含む。スイベルハプティックの対は、第１のスイベルハプティック１３０および第２のスイベルハプティック１３５を含む。ＩＯＬ１００は、第１のスイベルハプティック１３０および第２のスイベルハプティック１３５以外に複数のスイベルハプティックの対を含んでもよいということが留意されるべきである。さらに、複数のスイベルハプティックの対は、第１のピボット１２０および第２のピボット１２５以外の、対応するピボットの対の上を旋回する。円形光学１０５は、円形形状であり、円形光学１０５の周囲上の複数の位置決め穴（図示しない）を含む。位置決め穴は、第１の位置決め穴および第２の位置決め穴を含む。第１の位置決め穴は、円形光学１０５の右端において配置され、第２の位置決め穴は、円形光学１０５の左端において配置される。
【００２４】
第１の湾曲したハプティック１１０および第２の湾曲したハプティック１１５は、互いに斜めに反対の方向において、円形光学１０５から外側に延在する。第１の湾曲したハプティック１１０は、円形光学１０５の上端から延在し、第２の湾曲したハプティックは、円形光学１０５の底端から延在する。眼の嚢袋へと注入されるときに、第１の湾曲したハプティック１１０は、嚢袋の上内周に当接するように構成され、第２の湾曲したハプティック１１５は、嚢袋の底内周に当接するように構成される。１つの例では、第１の湾曲したハプティック１１０および第２の湾曲したハプティック１１５は、また親水性アクリルから作られる。第１の湾曲したハプティック１１０および第２の湾曲したハプティック１１５は、このため嚢袋への注入のために容易に折り曲げ可能である。１つの例では、第１の湾曲したハプティック１１０および第２の湾曲したハプティック１１５は、丸められたまたは巻かれた端部を有する。
【００２５】
第１のピボット１２０は、円形光学１０５の右端において、第１の位置決め穴内に位置決めされる。第２のピボット１２５は、円形光学１０５の左端において、第２の位置決め穴内に位置決めされる。第１のスイベルハプティック１３０および第２のスイベルハプティック１３５は、湾曲されたハプティックの対に対して、垂直に位置決めされる。第１のスイベルハプティック１３０は、第１のピボット１２０上で旋回するように構成される。第２のスイベルハプティック１３５は、第２のピボット１２５上で旋回するように構成される。１つの例では、第１のスイベルハプティック１３０は、第１のピボット１２０上に溶接され、第２のスイベルハプティック１３５は、第２のピボット１２５上に溶接される。第１のスイベルハプティック１３０および第２のスイベルハプティック１３５は、円形光学から離れて回転され、たとえば、図２に図示されるように、水平位置の角度位置に固定されるように構成される。１つの例では、第１のスイベルハプティック１３０および第２のスイベルハプティック１３５は、３６０度回転または旋回することができる。１つの例では、第１のスイベルハプティック１３０および第２のスイベルハプティック１３５は、丸められたまたは巻かれた端部を有する。いくつかの実施形態では、第１のスイベルハプティック１３０および第２のスイベルハプティック１３５は、多焦点および円環プラットフォームのために使用されることができる。
【００２６】
第１のスイベルハプティック１３０および第２のスイベルハプティック１３５は、ポリメチルメタクリレート（ＰＭＭＡ）のプラスチック記憶機能に起因するＰＭＭＡスイベルハプティックである。しかし、第１のスイベルハプティック１３０および第２のスイベルハプティック１３５は、別の同様の材料で作られることができ、ＰＭＭＡに限定されないということが留意されるべきである。いくつかの実施形態では、第１のスイベルハプティック１３０および第２のスイベルハプティック１３５は、各々２．５ｍｍ長である。
【００２７】
図１に示されるように、第１のスイベルハプティック１３０および第２のスイベルハプティック１３５は、閉位置にある。たとえば、閉位置では、第１のスイベルハプティック１３０および第２のスイベルハプティック１３５は、ＩＯＬ１００を嚢袋へと注入する前に円形光学１０５上に折られる。第１のスイベルハプティック１３０および第２のスイベルハプティック１３５は、嚢袋内で閉位置に保持される。眼科医は、第１のスイベルハプティック１３０および第２のスイベルハプティック１３５を円形光学１０５から離れて回転させるために、１つまたは複数のデバイスを使用できる。図２に示されるように、第１のスイベルハプティック１３０および第２のスイベルハプティック１３５は、嚢袋において、前方嚢上方の角度位置に回転され固定される。前方嚢上の嚢袋内の第１のスイベルハプティック１３０および第２のスイベルハプティック１３５のそのような固定は、ＩＯＬ１００の安定化、中心化、およびより少ない傾きを可能にする。
【００２８】
いくつかの実施形態では、ＩＯＬ１００は、第１のスイベルハプティック１３０および第２のスイベルハプティック１３５以外に、複数のスイベルハプティックを含んでもよい。そのようなスイベルハプティックは、円形光学１０５の周囲上で対応する位置決め穴において、斜めに位置されることができる。
【００２９】
眼の嚢袋内に埋め込まれたＩＯＬ１００の例示的な表現は、図３を参照して、説明される。眼の嚢袋内に埋め込まれたＩＯＬ１００の別の例示的表現は、図４を参照して、説明される。
【００３０】
今、図３を参照して、嚢袋内に埋め込まれたＩＯＬ１００の正面図、たとえば眼の嚢袋３０５は、図示される。ＩＯＬ１００は、眼の嚢袋３０５への注入によって、埋め込まれる。ＩＯＬ１００は、注入前および直後の両方に閉位置にある。ＩＯＬ１００の閉位置は、円形光学１０５上に折られた第１のスイベルハプティック１３０および第２のスイベルハプティック１３５を含む。第１の湾曲したハプティック１１０および第２の湾曲したハプティック１１５は、一度嚢袋３０５へと挿入されると、嚢袋３０５の上内周３１０および嚢袋３０５の底内周３１５のそれぞれに当接するように湾曲を調整する。
【００３１】
今度は、図４を参照して、別の実施形態にしたがう、眼の嚢袋内、たとえば嚢袋３０５、に埋め込まれたＩＯＬ１００の正面図は、図示される。ＩＯＬ１００は、閉位置において、眼の嚢袋３０５への注入によって、埋め込まれる。眼科医は今、１つまたは複数のデバイスを、第１のスイベルハプティック１３０および第２のスイベルハプティック１３５を開位置へと、たとえば水平位置へと回転させるために使用できる。第１のスイベルハプティック１３０および第２のスイベルハプティック１３５は、円形光学１０５から離れて回転され、水平位置へと前方嚢上方の嚢袋３０５において、固定される。
【００３２】
ここで開示されるさまざまな実施形態は、眼内の嚢切開固定のための後方房眼内レンズを提供することによって、数多くの利点を提供する。本開示によって提供される後方房眼内レンズは、たとえば、嚢袋内の２．８ミリメータ（ｍｍ）切開を使用して、標準的インジェクターとともに使用が容易である。本開示は、後方房眼内レンズの埋め込みのために、任意のデバイスまたは機器または手術トレーニングを必要としない。本開示によって提供される後方房眼内レンズは、固定が嚢切開の大きさに依存しないので、フェムト秒レーザー支援白内障手術（ＦＬＡＣＳ）および手動超音波乳化吸引療法の両方とともに使用されることができる。スイベルハプティックは、後方房眼内レンズにおいて後方房眼内レンズの安定な固定を確実にし、嚢袋に対する変化に影響しない有効なレンズ位置を可能にするために使用される。術後フォローアップにおいて、測定された前方房深さは、さらに、本開示によって提供される後方房眼内レンズの使用の際に著しい変化を有さないことを決定される。
【００３３】
本開示における後方房眼内レンズのユーザは、より良好な術後の屈折の予測可能性を経験することができる。本開示は、また、嚢袋の大きさに関わらず、スイベルハプティックが回転安定性および中心安定性（術後の結果）を円環設計の眼内レンズ並びに単焦点レンズと多焦点レンズに提供することを可能とする。本開示において提供される後方房眼内レンズは、さらに、後方虹彩平面とレンズ平面との間の距離が最小となるので、身体違和感を最小化する、または防ぐ（および特に否定的な身体違和感を防ぐ）。後方房眼内レンズは、さらに、薄いＰＭＭＡスイベルハプティックの使用に起因して、色素拡散を最小化しまたは防ぎ、必要な場合に容易な外植を可能とする。本開示において提供される後方房眼内レンズは、また、埋め込み後に嚢袋からの粘弾性の容易な除去を可能とする。後方房眼内レンズは、眼内インプラントを伴う白内障手術においてルーチン的に使用されることができる。本開示によって提供される後方房眼内レンズは、単純な設計を有し、容易に製造および梱包が可能であり、標準的インジェクターとともに使用され、嚢袋からのＯＶＤの容易な除去を有する。
【００３４】
開示を説明するために特定の言語が使用されているが、同じ理由により生じるいかなる限定も意図されない。当業者には明らかであるように、本明細書で教示されるような本発明の概念を実施するために、本方法に様々な修正が加えられることができる。
【００３５】
図面および上記の説明は、実施形態の例を示す。当業者は、１つまたは複数の記載された要素は、単一の機能要素へと組み合わされることができることを理解するであろう。代替的に、特定の要素は、複数の機能要素に分割されることができる。１つの実施形態の要素は、別の実施形態に追加されることができる。たとえば、本明細書に記載されたプロセスの順序は、変更されてもよく、本明細書に記載された方法に限定されない。さらに、任意の流れ図の動作は、示された順序で実施される必要はなく、全ての行為は、必ず実行される必要はない。また、他の行為に依存しない行為は、他の行為と並行して行なわれてもよい。実施形態の範囲は、これらの具体例によって、いかようにも限定されない。明細書に明示されているかどうかにかかわらず、材料の構造、寸法、使用の違いなど、さまざまな変形が可能である。実施形態の範囲は、少なくとも以下の特許請求の範囲によって与えられるのと同じほどに広い。
【図１】
2019510616.tif 000003
【図２】
2019510616.tif 000004
【図３】
2019510616.tif 000005
【図４】
2019510616.tif 000006
【国際調査報告】
2019510616.tif 000007